【手続補正書】
【提出日】平成17年1月26日(2005.1.26)
【手続補正１】
【補正対象書類名】明細書
【補正対象項目名】発明の名称
【補正方法】変更
【補正の内容】
【発明の名称】マルチメディア・タイトルの作成方法及びマルチメディア・タイトル・システム
【手続補正２】
【補正対象書類名】明細書
【補正対象項目名】特許請求の範囲
【補正方法】変更
【補正の内容】
【特許請求の範囲】
【請求項１】
マルチメディア・タイトルの作成方法において、
前記マルチメディア・タイトルにより使用される全ての外観または機能またはナビゲーション・データのマルチメディア特性と前記マルチメディア・タイトルにより使用される全ての情報内容マルチメディア特性を、前記マルチメディア・タイトルの外部にある１以上のファイルに格納するステップと、
前記マルチメディア・タイトルの外部にある１以上のプログラム・ファイルに従って、前記マルチメディア・タイトルにより使われる、前記外観または機能またはナビゲーション・データのマルチメディア特性と前記情報内容マルチメディア特性を、読み込んで処理するステップとを備え、
前記マルチメディア・タイトルにはリンクは明示的に定義されていないことを特徴とする方法。
【請求項２】
前記外観または機能またはナビゲーション・データのマルチメディア特性と前記情報内容マルチメディア特性は、メモリに読み込まれることを特徴とする請求項１に記載の方法。
【請求項３】
前記外観または機能またはナビゲーション・データのマルチメディア特性と前記情報内容マルチメディア特性は、前記マルチメディア・タイトルの外部に格納された前記１以上のプログラム・ファイルを使用するソフトウエア・エンジンにより前記メモリに読み込まれることを特徴とする請求項２に記載の方法。
【請求項４】
前記外観または機能またはナビゲーション・データのマルチメディア特性と前記情報内容マルチメディア特性を、読み込んで処理するステップの後において、
前記マルチメディア・タイトルの外部にある１以上のファイルに格納された、前記外観または機能またはナビゲーション・データのマルチメディア特性における１以上のナビゲーション・データ・マルチメディア特性に従って、前記マルチメディア・タイトルをナビゲートするステップを備えた請求項１に記載の方法。
【請求項５】
前記外観または機能またはナビゲーション・データのマルチメディア特性と前記情報内容マルチメディア特性を、読み込んで処理するステップの後において、
１以上の前記外観または機能またはナビゲーション・データのマルチメディア特性、または、１以上の前記情報内容マルチメディア特性を修正し、全ての外観または機能またはナビゲーション・データと全ての情報内容マルチメディア特性が格納された前記マルチメディア・タイトルの外部にある１以上のファイルを更新するステップを備えた請求項１に記載の方法。
【請求項６】
前記マルチメディア・タイトルは、テキスト、グラフィック、写真、オーディオ、またはビデオのうちの１以上を含むマルチメディア要素を１以上有する請求項１に記載の方法。
【請求項７】
１以上のマルチメディア要素を有するマルチメディア・タイトルと、
前記マルチメディア・タイトルの外部にあって、前記マルチメディア・タイトルにより使用される全ての外観または機能またはナビゲーション・データのマルチメディア特性及び、前記マルチメディア・タイトルにより使用される全ての情報内容マルチメディア特性を含む、１以上のファイルと、
前記マルチメディア・タイトルの外部にあって、必要に応じて前記外観または機能またはナビゲーション・データのマルチメディア特性及び前記情報内容マルチメディア特性を前記マルチメディア・タイトルに読み込んで処理するために、ソフトウエア・エンジンにより使用されるプログラム・ファイルと
を備え、
前記マルチメディア・タイトルの外観または機能またはナビゲーション・データのマルチメディア特性は、前記マルチメディア・タイトルの外部にある１以上のファイルに格納された前記外観または機能またはナビゲーション・データのマルチメディア特性における外観または機能またはナビゲーション・データのマルチメディア特性の１以上を変更することにより変更することができ、前記マルチメディア・タイトルの情報内容マルチメディア特性は前記マルチメディア・タイトルの外部にある１以上のファイルに格納された前記情報内容マルチメディア特性における情報内容マルチメディア特性の１以上を変更することにより変更することができ、
前記マルチメディア・タイトルにはリンクは明示的に定義されていないことを特徴とするマルチメディア・タイトル・システム。
【請求項８】
前記１以上のマルチメディア要素は、テキスト、グラフィック、写真、オーディオ、またはビデオのうちの１以上を含むことを特徴とする請求項７に記載のシステム。
【請求項９】
前記マルチメディア・タイトル・システムは、コンピュータベース・トレーニング（ＣＢＴ）アプリケーションで使用されることを特徴とする請求項７位記載のシステム。
【請求項１０】
前記マルチメディア・タイトル・システムは、電子パフォーマンス・サポート・システム（ＥＰＳＳ）アプリケーションで使用されることを特徴とする請求項７記載のシステム。
【手続補正３】
【補正対象書類名】明細書
【補正対象項目名】０００６
【補正方法】変更
【補正の内容】
【０００６】
マルチメディア・タイトルの開発用として現在使用可能なツールまたは方法としては、アイコンに基づいたツールと、フレームに基づいたツールがある。アイコンに基づいたツールまたは方法は、マルチメディア・タイトルを作成するためにユーザがシンボル（アイコン）を作成、修正、配置するものである。各シンボルは、マルチメディア・タイトルの内容特性や外観特性など、マルチメディア・タイトルの特性を含む。アイコン間には、ナビゲーションおよびその他の特性を指定する関係が存在する。フレームに基づいたツールまたは方法は、マルチメディア・タイトルの様々な特性を、一般に「フレーム」と呼ばれる集合にカプセル化するものである。したがって、通常、フレームはマルチメディア・タイトルにおける画面の機能特性と外観特性とを含む。マルチメディア・タイトルのフレームは、ナビゲーション特性を指定するフレーム間の「リンク」によって接続される。図１を参照すると、同図には先行技術のマルチメディア・タイトルによるフレーム１０とリンク１１が示されている。
【手続補正４】
【補正対象書類名】明細書
【補正対象項目名】０００７
【補正方法】変更
【補正の内容】
【０００７】
マルチメディア・タイトルを開発するためのアイコンに基づいた方法とフレームに基づいた方法の両方には、当技術分野ではまだ十分に対処されていない数多くの欠点がある。第一に、開発段階の後半においてタイトルの機能特性または外観特性を変更することは非常に困難である。というのは、そのような変更を行うには、アイコンに基づいた方法の場合は多数のアイコンを変更し、フレームに基づいた方法の場合は多数のフレームを変更することが必要になるからである。このような困難のため、アイコンに基づいたとフレームに基づいた方法は、開発プロセスの所与の時点以降においては、基本的には変更不能な開発ツールであるといえる。
【手続補正５】
【補正対象書類名】明細書
【補正対象項目名】０００８
【補正方法】変更
【補正の内容】
【０００８】
第二に、アイコンに基づいたまたはフレームに基づいたツールを使用してマルチメディア・タイトルを開発するには、そのアプリケーションを表示する目標画面の画面解像度の選択が必要である。マルチメディア・タイトルは所与の画面解像度を有する画面向けに開発されるので、そのマルチメディア・タイトルは画面またはウィンドウの同じ比率で他の画面解像度に容易に転送することはできない。したがって、たとえば、マルチメディア・タイトルが６４０×４８０という目標画面解像度向けに開発された場合、そのマルチメディア・タイトルを１０２４×７６８モニタ上で実行すると、マルチメディア・タイトルのサイズがモニタの面積の４０％未満、すなわち、（６４０×４８０）／（１０２４×７６８）に縮小される。新しい画面解像度で全サイズで動作するようにマルチメディア・タイトルを変更するには、既存のフレームおよびアイコンに対して相当数の変更を加える必要がある。このため、アプリケーションが実行される可能性のある画面解像度のうち最低の画面解像度で新しいマルチメディア・タイトルを開発するのが一般的なやり方である。最低画面解像度の場合、画面が大きくなるほどその小さい部分を表すので、画面が大きくなるほどそこで実行される部分が小さくなる。
【手続補正６】
【補正対象書類名】明細書
【補正対象項目名】０００９
【補正方法】変更
【補正の内容】
【０００９】
第３に、従来のフレームに基づいたまたはアイコンに基づいたマルチメディア開発ツールの主な欠点は、マルチメディア・タイトルの開発に使用したマルチメディア・ツールがフレームに基づいたであるかアイコンに基づいたであるかにかかわらず、マルチメディア・ツールにアクセスせずにマルチメディア・タイトルの内容に多くの変更を加えることができないことである。これは、マルチメディア・タイトルの内容の修正に大いに関心のある人がそのマルチメディア・タイトルを作成した人ではなく、そのため、所望の内容変更を行うために必須のマルチメディア・ソフトウェア・エンジンの使い方が分からない可能性があると思われる場合、特に厄介な要件である。
【手続補正７】
【補正対象書類名】明細書
【補正対象項目名】００１４
【補正方法】変更
【補正の内容】
【００１４】
本発明の他の目的は、従来のフレームに基づいたおよびアイコンに基づいた方法が必要とするような単調でエラーを招きやすい方法でリンクおよびナビゲーション特性を明示的に定義しなければならないという先行技術の問題を解決することである。
【手続補正８】
【補正対象書類名】明細書
【補正対象項目名】００１５
【補正方法】変更
【補正の内容】
【００１５】
本発明の他の目的は、従来のフレームに基づいたまたはアイコンに基づいた方法に関連する長いマルチメディア・タイトル開発時間を最小限にすることである。
【手続補正９】
【補正対象書類名】明細書
【補正対象項目名】００２０
【補正方法】変更
【補正の内容】
【００２０】
本発明は、以下の機能を提供することにより、先行技術を上回る重要な利点を提供する。すなわち、マルチメディア・タイトル開発プロセスの初期段階以降にフレーム外観および動作特性に対する一括変更を実現できること、ある画面解像度でマルチメディア・タイトルを開発でき、さらに大規模な人間の介入なしに別の画面解像度でマルチメディア・タイトルを実行する画面またはウィンドウの同じ比率でそのマルチメディア・タイトルを実行できること、マルチメディア・タイトルの開発に使用したマルチメディア・ソフトウェア・エンジンで変更を行う必要なしに、マルチメディア・タイトルの内容に変更を加えられること、従来のフレームに基づいたおよびアイコンに基づいた方法が必要とするような単調でエラーを招きやすい方法でリンクおよびナビゲーション特性を明示的に定義する必要がないこと、従来のフレーム・ベースまたはアイコン・ベースの方法に伴う長い開発時間を最小限に抑えられること、ならびにマルチメディア・タイトルに修正を加えるときにマルチメディア・タイトルの開発に使用したマルチメディア・ソフトウェア・エンジンに対する依存度を低減できることである。
【手続補正１０】
【補正対象書類名】明細書
【補正対象項目名】００２３
【補正方法】変更
【補正の内容】
【００２３】
従来のアイコンに基づいたまたはフレームに基づいたマルチメディア・タイトルとは異なり、本発明のマルチメディア・タイトルは、外観、機能、または内容の各種特性と単一フレームのマルチメディア要素またはオブジェクトとの関連付けを必要としない。というのは、本発明におけるマルチメディア・タイトルの外観、機能、ナビゲーション、内容の各種特性は、単一フレームの外部に格納されているからである。また、マルチメディア・タイトルの諸特性とマルチメディア要素との間に関連付け、つまりリンクは一切必要ないので、必要なリンク２３、２４は図２に示すようにマルチメディア・タイトルの開始コネクタ２０と終了コネクタ２１に用いられるものだけであり（２３，２４）、マルチメディア・タイトルが黙示的な開始と終了を有する場合、リンクは一切なくなる。